(57)【要約】      （修正有）【課題】容易に生産可能であって、使用時には簡単に組み立てできる、空洞を有する物品を位置決める部材を提供する。【解決手段】空洞を有する物品の移動を規制する位置決め部材１であって、シート材に規制部３を突設し、規制部を物品の空洞に嵌入して物品を位置決めるものであって、規制部は、シート材を切線で切り込み折線Ｌで折り込んで形成する複数の規制板同士を両端の係合部３３で係合して突設する。【選択図】図４
0003217101.tif 000002
【実用新案登録請求の範囲】
【請求項１】
空洞を有する物品の移動を規制する位置決め部材であって、前記位置決め部材は、シート材に規制部を突設し、前記規制部を物品の空洞に嵌入して物品を位置決めるものであって、前記規制部は、シート材を切り込んで形成する複数の規制板同士を係合して突設することを特徴とする位置決め部材。
【請求項２】
前記規制板は左右に自由端と係合部とを有し、一の規制板が有する前記係合部と他の規制板が有する前記係合部とを係合して、前記規制部を突設することを特徴とする、請求項１に記載する位置決め部材。
【請求項３】
前記規制部は、円筒形状又は角筒形状であることを特徴とする、請求項１又は請求項２に記載する位置決め部材。
【考案の詳細な説明】
【技術分野】
【０００１】  本考案は、空洞を有する物品を位置決める部材に関する。
【背景技術】
【０００２】  従来、例えば中央部が空洞となっている輪形のバームクーヘン菓子のような物品を位置決めるため、合成樹脂材を成型した円板状の受台で、その受底面の中心部に縦断面略コ字形に上方側に向かって略円錐形に膨出せしめた保持膨出面を設けた菓子容器が知られている。この種の容器は、中央部の空洞を受台の保持膨出面に嵌入することで菓子の容器内での移動を抑制する（特許文献１参照）。【０００３】  しかしながら、前者のものは成型に要する金型が必要であるため生産工程が複雑となり、費用も高額となるといった問題がある。
【先行技術文献】
【特許文献】
【０００４】
【特許文献１】実開昭５８−４９７６２号公報
【考案の開示】
【考案が解決しようとする課題】
【０００５】  本考案は、上記問題を解決すべくなされたものである。本考案の目的は、容易に生産可能であって、使用時には簡単に組み立てできる、空洞を有する物品を位置決める部材の提供を課題とする。
【課題を解決するための手段】
【０００６】  本考案の解決しようとする課題は以上の如くであり、次にこの課題を解決するための手段を説明する。【０００７】  第１の考案では、空洞を有する物品の移動を規制する位置決め部材であって、前記位置決め部材は、シート材に規制部を突設し、前記規制部を物品の空洞に嵌入して物品を位置決めるものであって、前記規制部は、シート材を切り込んで形成する複数の規制板同士を係合して突設することを特徴とする位置決め部材である。【０００８】  第２の考案では、第１の考案であって、前記規制板は左右に自由端と係合部とを有し、一の規制板が有する前記係合部と他の規制板が有する前記係合部とを係合して、前記規制部を突設することを特徴とする位置決め部材である。【０００９】  第３の考案では、第１又は第２の考案であって、前記規制部は、円筒形状又は角筒形状であることを特徴とする位置決め部材である。
【考案の効果】
【００１０】  本考案の位置決め部材によれば、載置する物品の空洞に規制部を嵌入して物品を確実に位置決めることができる。また、成型に要する金型を必要とせずに容易に生産することができ、使用時には簡単に組み立てすることができる。
【図面の簡単な説明】
【００１１】
【図１】位置決め部材１の組み立て前の平面図。
【図２】位置決め部材１の組立工程を示す斜視図。
【図３】位置決め部材１の組立工程を示す斜視図。
【図４】位置決め部材１の組立完成状態を示す斜視図。
【図５】位置決め部材１の使用状態を示す斜視図。
【考案を実施するための形態】
【００１２】  本考案の実施形態に係る位置決め部材１について説明する。
【００１３】  本実施形態の位置決め部材１は、中心部に空洞を有する物品であるバームクーヘン菓子Ａを位置決める部材である。バームクーヘンのような柔らかい菓子は、運搬中の振動や衝撃で位置がずれると崩れやすいため、位置決めして移動を規制することが望ましい。
【００１４】  位置決め部材１は、図５に示すように、載置部２にバームクーヘン菓子Ａを載置する際に、シート材から突設された円筒形状の規制部３をバームクーヘン菓子の空洞に嵌入して位置決めし、移動を規制するものである。
【００１５】  本実施形態の位置決め部材１は、図１に示すシート材を折り曲げ組み立てて使用するものであり、板紙を用いて作成されるものであるが、段ボールシートやプラスチックシートなど他のシート部材を用いて作成することもできる。
【００１６】  まず、位置決め部材１の構成について、図１に従って説明する。
【００１７】  位置決め部材１は、シート材の略中心部分に二つの規制板３１を設けている。これらを折り曲げて組み立てることで規制部３が突設される。
本実施形態において規制板３１は、相対向する位置に、夫々切線Ｋと折線Ｌによって形成される。
折線Ｌは、図１において破線で示された部分であって、規制板３１の基部となる部分である。本実施形態においては、規制部３を円筒形状とすべく外側に膨らむ曲線形状としている。
また、折線Ｌの左右端には切線Ｋによって区画された部分が規制板３１の自由端３２を形成し、さらにその先端に係合部３３を形成している。係合部３３は切り込み３３ａを備える。
【００１８】  次に、組み立てについて、図２から図４に従って説明する。
まず、図２に示すように、折線Ｌを谷折りして切線Ｋで区画された規制板３１をそれぞれ起立させる。そして、図３から図４に示すように、規制板３１の左右の自由端３２を、それぞれ相対向する規制板３１の方向へ曲げて、隣接する係合部３３の切り込み３３ａを組み合わせて係合する。これにより、規制板３１の起立が保持されて規制部３が突設される。
【００１９】  使用にあたっては、バームクーヘン菓子Ａを載置部２に載置するとともに規制部３をバームクーヘン菓子Ａの空洞に嵌入する。
【００２０】  このように、本実施形態の位置決め部材１は、中心部に空洞を有するバームクーヘン菓子Ａの移動を規制する位置決め部材であって、シート材である板紙に規制部３を突設し、規制部３をバームクーヘン菓子Ａの空洞に嵌入して位置決めるものであって、規制部３は、板紙を切り込んで形成する２つの規制板３１同士を係合部３３で係合して突設するものである。このため、載置するバームクーヘン菓子Ａの空洞に規制部３を嵌入して物品を確実に位置決めることができる。また、成型に要する金型を必要とせずに容易に生産することができ、使用時には上記の如く簡単に組み立てすることができる。
【００２１】  また、本実施形態の位置決め部材１の規制板３１は左右に自由端３２と係合部３３とを有し、一の規制板３１が有する係合部３３と他の規制板３１が有する係合部３３とを係合して、規制部３を突設するものである。このため、成型に要する金型を必要とせずに容易に生産することができ、使用時には上記の如く簡単に組み立てすることができる。また、規制部３の筒状とした側面とバームクーヘン菓子の空洞面とが接して移動が規制されるため、バームクーヘン菓子のような柔らかい物品でも規制部３との接触による破損が生じにくい。
【００２２】  また、本実施形態の規制部３は円筒形状である。このため、バームクーヘン菓子Ａの空洞の形状と略一致し、確実に位置決めすることができる。また、規制部３の円筒形状とした側面とバームクーヘン菓子Ａの空洞面とがほぼ密着して移動が規制されるため、バームクーヘン菓子のような柔らかい物品でも規制部３との接触による破損が生じにくい。
【００２３】  以上、本考案の実施形態について説明したが、本考案はこれに限定されるものではない。
上記実施形態では、バームクーヘン菓子Ａを載置する場合について説明したが、載置する物品はバームクーヘン菓子には限られず、本考案における規制部が嵌入する空洞を有する物品であれば、本考案の目的を達することができる。
また、上記実施形態では規制板３１を２つ設け、これらを係合して規制部３を突設しているが、規制板を２つ以上設け、これらを係合して規制部を突設してもよい。
さらに、上記実施形態では規制部３を円筒形状としているが、載置する物品の有する空洞の形状に合わせて角筒形状とすることもできる。
【符号の説明】
【００２４】１      位置決め部材
２      載置部
３      規制部
３１    規制板
３２    自由端
３３    係合部
３３ａ  切り込み
５２    保持パーツ
Ａ      物品（バームクーヘン菓子）
Ｋ      切線
Ｌ      折線
【図１】
0003217101.tif 000003
【図２】
0003217101.tif 000004
【図３】
0003217101.tif 000005
【図４】
0003217101.tif 000006
【図５】
0003217101.tif 000007